(57)【要約】  【課題】  単一のボディカバーで幅広くさまざまな車型に適用でき、且つ、一人で操作するとき簡単に着脱させることができると共に、少ない裁断片の組み合わせで形成でき、裁断片を予めサイドミラーに合わせ袋状に縫い合わせておく必要がなく、生産効率を向上でき、且つ、出来上がりのボディカバーが立体感を備えた、自動車用カバーの提供。 【解決手段】  ルーフ部及び少なくとも二段式のサイド部から構成され、ルーフ部はボディカバーの上面部分を形成し、その左右両側に二段式側面部が設置される。この二段式側面部は、上下に並べたサイド部及び傾斜部から構成するか、左右に並べた前方部及び後方部から構成することができ、この二つの側面部には裁断において弧状突出ラインを設け、この裁断線が直線の裁断ではないため、サイド部を結合させると水平方向または垂直方向に突出エリアが形成され、この外側に張り出した曲線の突出エリアの空間に車体のサイドミラーを收納することができる。  【選択図】    図１
2007001447.tif 000002
【特許請求の範囲】
【請求項１】
少なくとも１つのルーフ部、少なくとも１つの左サイド部及び右サイド部、２つの傾斜部を含んで成る自動車用カバーであって、そのうち、該ルーフ部が該自動車用カバーの上面を形成し、左右両側にその他の部分が連結され、該左サイド部及び右サイド部は非直線的裁断線を備え、該傾斜部に隣接する一裁断線に特定の弧状突出ラインを設け、該傾斜部は、該左サイド部及び右サイド部に隣接する辺縁部に特定の弧状突出ラインを備え、該ルーフ部を上面として設置し、該左サイド部及び傾斜部を該ルーフ部の左側に連結し、該右サイド部及び傾斜部を該ルーフ部の右側に連結し、該ルーフ部、左サイド部、右サイド部及び２つの傾斜部をすべて連結して立体的形状の自動車用カバーが形成され、該自動車用カバーの該左サイド部、右サイド部と各傾斜部の連結箇所上に水平方向に張り出した突出エリアが形成される、自動車用カバー。
【請求項２】
前記左サイド部及び右サイド部の外形が相互に対称である、請求項1に記載の自動車用カバー。
【請求項３】
少なくとも１つのルーフ部、少なくとも１つの左前方部及び右前方部、少なくとも１つの左後方部及び右後方部を含んで成る自動車用カバーであって、そのうち、該ルーフ部が該自動車用カバーの上面を形成し、左右両側にその他の部分が連結され、該左前方部及び右前方部は非直線的裁断線を備え、該左前方部の該左後方部に隣接する一裁断線に特定の弧状突出ラインを設けると共に、該右前方部の該右後方部に隣接する一裁断線に特定の弧状突出ラインを設け、該左後方部は該左前方部に隣接する辺縁部に特定の弧状突出ラインを備え、右後方部は該右前方部に隣接する辺縁部に特定の弧状突出ラインを備え、該ルーフ部、左前方部及び右前方部、左後方部及び右後方部をすべて連結して該自動車用カバーが形成され、該自動車用カバーの該左前方部、右前方部と、左後方部、右後方部の連結箇所上に垂直方向に張り出した突出エリアが形成される、自動車用カバー。
【発明の詳細な説明】
【技術分野】
【０００１】
本発明は、自動車用カバーの設計に関し、詳細には、サイドミラー位置が膨らみ突出した空間を備えた自動車のボディカバーであって、生産上容易に製造でき、作業効率を高め、製造コストを抑えることができ、さまざまな車種の異なるスタイルの車体を覆うために幅広く適用することができ、ボディカバーを被せた後、カバーがサイドミラーによって持ち上げられることがなく、完全に車体上を覆うことができる、自動車用カバーに関する。
【背景技術】
【０００２】
一般的な従来の自動車用カバーは、一体成型のカバー体またはルーフ部及び両側の部分を縫製して成るカバー体であり、自動車の車体上を覆い、日焼けや雨に晒されることによるダメージを防止することができる。しかしながら、自動車両側のサイドミラーが外側に突出した状態に設置されているため、自動車用カバーを車体に被せたとき、両側が突出しているサイドミラーの影響で外側に向かって張り出してしまい、容易に自動車用カバーの両側が張り出してカバーの底縁部が上方向に持ち上がってしまい、自動車のボディを完全に覆うことができなくなり、強風が吹くと自動車用カバー全体が開いてしまうことにもなりやすい。
【０００３】
図９に示すように、別の従来の自動車用カバーＡは、両側のサイドミラーの位置に袋体Ｂが設けられている。この袋体Ｂは、予め2〜3枚の複数枚の裁断片を縫製して袋状にする必要があり、且つ、側面部Ｃ上に孔を設け、さらに、製作済みの袋体開口部の辺縁部と側面部上の孔の辺縁部を縫い合わせて連結するものであり、全体の手作業工程が面倒で工程数が多く、且つ、多くの裁断片を結合させる必要があり、また、円周状や四方状環状形に縫い合わせる作業に手間がかかり、生産効率が低くなるだけでなく、縫い合わせた辺縁部の防水性も劣り、全体のコスト増加に加え製造効率も低くなっており、これらの点が従来の自動車用カバーの生産における最大の欠点となっている。さらに、この袋体は車体のサイドミラーを収納することができ、前述の自動車用カバーの使用上の欠点を改善してはいるが、異なる車型やメーカの車体のサイドミラーの位置は異なり、生産時にその型式を統一することはできず、この自動車用カバーの実用性が低くなっている。また、この自動車用カバーの使用時には、サイドミラーを自動車用カバーの袋体内に入れる必要があるため、迅速に着脱ができず、この自動車用カバーの利便性は低く、理想的とはいえない。
【０００４】
本案発明は上述の従来の自動車用カバーが実用性と使用上の利便性に欠けるという欠点に鑑みて、積極的に研究を重ね、度重なる試験を経て、さまざまな車型に適用でき、且つ、簡単に着脱が可能で便利に操作ができる自動車用カバーを開発し、消費者が使用できるようにすべく生まれたものである。
【発明の開示】
【発明が解決しようとする課題】
【０００５】
本発明の主な目的は、単一のボディカバーで幅広くさまざまな車型に適用でき、且つ、一人で操作するとき簡単に着脱させることができる、自動車用カバーを提供することにある。
【０００６】
本発明の別の目的は、少ない裁断片の組み合わせでボディカバーを形成でき、且つ、裁断片を予めサイドミラーに合わせ袋状に縫い合わせておく必要がなく、生産効率を向上でき、且つ、出来上がりのボディカバーが立体感を備えた、自動車用カバーを提供することにある。
【課題を解決するための手段】
【０００７】
上述の目的を達するため、本発明の自動車用カバーは、ルーフ部及び少なくとも二段式のサイド部から構成され、ルーフ部はボディカバーの上面部分を形成し、その左右両側に二段式側面部が設置される。この二段式側面部は、上下に並べたサイド部及び傾斜部から構成するか、左右に並べた前方部及び後方部から構成することができ、この二つの側面部には裁断において弧状突出ラインを設け、この裁断線が直線の裁断ではないため、サイド部を結合させると水平方向または垂直方向に突出エリアが形成され、このボディカバーを車体にかぶせると、この外側に張り出した曲線の突出エリアの空間に車体のサイドミラーを收納することができ、各種車型に適用可能で着脱を簡単に行うことができる。
【発明を実施するための最良の形態】
【０００８】
以下、本発明のその他特徴及び具体的な実施例を図面に基づき詳細に説明する。
【実施例１】
【０００９】
図１及び図３に示すように、この実施例における本発明の自動車用カバーは、複数の裁断片を含んでおり、この複数の裁断片から成る自動車用カバーは、少なくともルーフ部１０、２つの外形が対称な左サイド部１１と右サイド部１２、２つの傾斜部１３、１４及び紐４０を含んで構成される。ルーフ部及び左サイド部、右サイド部、各傾斜部の周縁部をそれぞれ縫合し、連結して立体的なボディカバー１が形成される。
【００１０】
図２に示すように、前述のボディカバー１は左右の両半部が対称の設計となっているため、以下では単一サイドのみの具体的な構造説明で本発明の設計のポイントを説明する。図に示すように、左サイド部１１は非直線的な裁断線を備え、この裁断線は特定の弧状突出ライン１５を呈し、傾斜部１３もこの左サイド部１１に隣接する辺縁部に同様に特定の弧状突出ライン１６を備え、左サイド部１１と傾斜部１３を図中a点の位置から縫合を開始し、縫合の終点であるｂ点位置に到達すると、縫合後の連結片は図中に点線で示す水平方向の突出エリア３０が形成され、この突出エリア３０は従来のボディカバーの袋状構造とは異なり、そのエリアの中央部が膨らんで突出し、その突出した部分の周辺が傾斜面または緩やかな曲面となっている。図４に示すように、ボディカバー１を車体２上に被せる際、この突出エリア３０は非常に容易にサイドミラー３を滑入させることができ、ボディカバーを簡単に被せて使用することができる。左サイド部１１と傾斜部１３の結合は、縫合の技術加工のほか、熱プレスでこれら２つの異なる裁断片を強固に結合させ一体としてもよい。突出エリア３０は内部空間が張り出し弧形状を呈し、カバーを被せる車体２の左右両側のサイドミラー３をこの突出エリア３０内に収納でき(図４参照)、さまざまな車型のサイドミラーの前後位置が異なる状況にも対応して収納が可能であり、幅広く適用することができる。
【実施例２】
【００１１】
図５、図６に示すように、本発明の別の実施例において、ボディカバー１は、ルーフ部２０、２つの外形が対称な左前方部２１と右前方部２２、２つの外形が対称な左後方部２３と右後方部２４を含んで成る。ルーフ部及び左、右前方部、左右後方部の周縁部をそれぞれ縫合し、連結して立体的なボディカバー１が形成される。
【００１２】
この実施例においては、ボディカバーの側面を形成する各部分が対称に設置されるため、以下では単一サイドのみについて説明する。ボディカバーの側面部分は、単一の裁断片である左前方部２１と単一の裁断片である左後方部２３を相互に縫合して連結し形成される。図６に示すように、左前方部２１の後端部に特定の弧状突出ライン２５を設け、左後方部２３もこの左前方部２１に隣接する辺縁部に同様に特定の弧状突出ライン２６を設ける。この左前方部２１と左後方部２３を図６のc点位置から縫合を開始し、縫合の終点であるｄ点位置に到達すると、縫合後の連結片は図中に点線で示す垂直方向の突出エリア３１が形成され、この突出エリア３１は従来のボディカバーの袋状構造とは異なり、そのエリアの中央部が膨らんで突出し、その突出した部分の周辺が傾斜面または緩やかな曲面となっており、左右両側のサイドミラー３をその内部に収納でき、さまざまな車型のサイドミラーの前後位置が異なる状況にも対応して収納が可能であり、幅広く適用することができる。
【００１３】
図７、図８に示すように、本発明のボディカバー１は、裾部分に挟み層を設け、紐４０及び紐上に連結した留め具４１を隠してもよい。この紐４０を挟み層の特定位置に設けた通孔４２、４３から穿出し、両端部分を留め具４１で固定した後、ボディカバー１の裾部分外側に設けた装飾片４で遮蔽する。その際、ボディカバー１の面上に（オス）面ファスナー５を設け、装飾片４上に（メス）面ファスナー６を設置し、装飾片を折り返した後、これら２つの面ファスナー５、６を相互に粘着し、留め具４１を遮蔽してもよい (図８参照)。
【００１４】
上述の２つの異なる実施例のボディカバーは共通して、水平方向に分布した２つの裁断片または垂直方向に分布した２つの裁断片が、その周縁部に設けた特定の弧状突出ラインを相互に結合させることで突出エリア３０、３１を形成し、この突出エリアの空間は周囲が緩やかな傾斜面を呈しており、従来品のような袋体ではないため、一人でボディカバー１を自動車に被せる動作を行うときも、簡単に操作を完了することができ、且つ、ボディカバーを取り外すときも、自動車の片側に立って完全にボディカバーを外すことができ、従来のボディカバーのように車体の両側に位置を移動してボディカバーを外さなければならないという不便がない。また、この突出エリア３０、３１の結合は、ボディカバーの視覚的効果においても立体感をかもし出すことができる。
【００１５】
上述のように、本発明はその予期する目的を確実に達することができ、使用上便利なボディカバーの構造を提供するものであり、その実用的価値は疑いがなく、法に基づきここに特許を出願するものである。
【００１６】
以上の説明は、本発明の最良の実施例に基づくものであり、本発明の実施の範囲を制限するものではなく、関連知識を備えた人物によるあらゆる変化や修飾もすべて本発明の要旨を逸脱しないものとみなす。
【図面の簡単な説明】
【００１７】
【図１】本発明の構造を示す立体分解図である。
【図２】本発明の実施例１の裁断片の組み合わせを示す平面図である。
【図３】本発明の実施例１の立体外観斜視図である。
【図４】本発明の実施例１を自動車に被せた状態を示す立体外観斜視図である。
【図５】本発明の実施例２の構造を示す立体分解図である。
【図６】本発明の実施例２の裁断片の組み合わせを示す平面図である。
【図７】本発明の実施例２の局部構造を示す立体斜視図である。
【図８】本発明の実施例２を自動車に被せた状態を示す立体外観斜視図である。
【図９】従来の自動車用カバーの立体外観図である。
【符号の説明】
【００１８】
１    ボディカバー              
２    車体
３    サイドミラー            
４    装飾片
５    （オス）面ファスナー        
６    （メス）面ファスナー
１０    ルーフ部              
１１    左サイド部
１２    右サイド部            
１３    傾斜部
１４    傾斜部            
１５    弧状突出ライン
１６    弧状突出ライン
２０    ルーフ部              
２１    左前方部
２２    右前方部          
２３    左後方部
２４    右後方部          
２５    弧状突出ライン
２６    弧状突出ライン
３０    突出エリア          
３１    突出エリア
４０    紐              
４１    留め具
４２    通孔              
４３    通孔
【図１】
2007001447.tif 000003
【図２】
2007001447.tif 000004
【図３】
2007001447.tif 000005
【図４】
2007001447.tif 000006
【図５】
2007001447.tif 000007
【図６】
2007001447.tif 000008
【図７】
2007001447.tif 000009
【図８】
2007001447.tif 000010
【図９】
2007001447.tif 000011